(57)【要約】【課題】高速で移動中の移動装置との通信を良好にサポートする技術を提供する。【解決手段】部分的直交性を発生するブロック拡散がＥ−ＵＴＲＡのアップリンク制御チャンネルに適用される。例えば、多重化容量を最大にする問題は、奇数長さシーケンスを生じる占数学を招き、これは、偶数長さシーケンスの好都合な特性をもたない。その結果、高ドップラー効果の場合に低い性能となる。初期のスケジューリング要求（ＳＲ）スキームを変更することで高ドップラーにおいて性能ロスのない最大多重化容量が教示される。初期のＳＲ多重化スキームは、スロット当たりの並列ＳＲリソース数が１２＊７＝８４に等しい。ブロック拡散の拡散ファクタは偶数へ変化され、例えば、７から６へ変化される。これは、ＣＡＺＡＣシーケンスの部分的直交特性の使用を可能にし、その結果、高ドップラーの場合のコード間干渉を減少する。【選択図】図８
2010536297.tif 000002
【特許請求の範囲】
【請求項１】
部分的直交性を生じる拡散コードで記号シーケンスをブロック拡散するステップと、
前記部分的直交性でブロックワイズ拡散された１つ以上のスケジューリング要求を送信するステップと、
を備えた方法。
【請求項２】
高速ユーザ装置をサポートするのに使用して、ドップラー効果によって生じるコード間干渉を減少するための、請求項１に記載の方法。
【請求項３】
ユーザ装置特有の繰り返しシフトで前記記号シーケンスを前記拡散するために一定振幅ゼロ自己相関を使用する、請求項１に記載の方法。
【請求項４】
前記部分的直交性は、前記ブロック拡散に対して偶数の拡散ファクタを使用して実行される、請求項１に記載の方法。
【請求項５】
前記部分的直交性は、ブロックの各スロットを２つの直交シーケンスのみに分割することにより実行される、請求項１に記載の方法。
【請求項６】
前記２つの直交シーケンスは、３つの記号の第１シーケンスと、その後に続く４つの記号の第２シーケンスとを含む、請求項５に記載の方法。
【請求項７】
前記第１シーケンスは、ＣＡＺＡＣシーケンスであり、前記第２シーケンスは、アダマールシーケンスである、請求項６に記載の方法。
【請求項８】
前記第１及び第２の両シーケンスは、ＣＡＺＡＣシーケンスである、請求項６に記載の方法。
【請求項９】
前記２つの直交シーケンスは、３つの記号の第１シーケンスと、その前後に続く４つの記号の前記第２シーケンスの２つの記号とを含む、請求項５に記載の方法。
【請求項１０】
前記部分的直交性は、ハイブリッドの自動リピート要求フィードバックシグナリングに使用されるものと同じスロット構造を使用することにより実行される、請求項１に記載の方法。
【請求項１１】
前記２つの直交シーケンスに対して付加的な直交カバーが適用される、請求項５に記載の方法。
【請求項１２】
前記直交カバーは、アダマールシーケンスを使用することにより作られる、請求項１１に記載の方法。
【請求項１３】
前記直交カバーは、高ドップラー環境においてスイッチオフすることができる、請求項１１に記載の方法。
【請求項１４】
前記２つの直交シーケンスは、３つの記号の第１シーケンスと、その後に続く３つの記号の第２シーケンスとを含む、請求項５に記載の方法。
【請求項１５】
前記２つの直交シーケンスは、５つの記号の第１シーケンスと、その後に続く４つの記号の第２シーケンスとを含む、請求項５に記載の方法。
【請求項１６】
部分的直交性を伴う拡散コードで記号シーケンスをブロック拡散するスプレッダーと、
前記部分的直交性でブロックワイズ拡散された１つ以上のスケジューリング要求を送出するための送信器と、
を備えた装置。
【請求項１７】
高速ユーザ装置をサポートするのに使用して、ドップラー効果によって生じるコード間干渉を減少するための、請求項１６に記載の装置。
【請求項１８】
ユーザ装置特有の繰り返しシフトで前記記号シーケンスを前記拡散するために一定振幅ゼロ自己相関を使用する、請求項１６に記載の装置。
【請求項１９】
前記部分的直交性は、前記ブロック拡散に対して偶数の拡散ファクタを使用して実行される、請求項１６に記載の装置。
【請求項２０】
前記部分的直交性は、ブロックの各スロットを２つの直交シーケンスのみに分割することにより実行される、請求項１６に記載の装置。
【請求項２１】
前記２つの直交シーケンスは、３つの記号の第１シーケンスと、その後に続く４つの記号の第２シーケンスとを含む、請求項２０に記載の装置。
【請求項２２】
前記第１シーケンスは、ＣＡＺＡＣシーケンスであり、前記第２シーケンスは、アダマールシーケンスである、請求項２１に記載の装置。
【請求項２３】
前記第１及び第２の両シーケンスは、ＣＡＺＡＣシーケンスである、請求項２１に記載の装置。
【請求項２４】
前記２つの直交シーケンスは、３つの記号の第１シーケンスと、その前後に続く４つの記号の前記第２シーケンスの２つの記号とを含む、請求項２０に記載の装置。
【請求項２５】
前記部分的直交性は、ハイブリッドの自動リピート要求フィードバックシグナリングに使用されるものと同じスロット構造を使用することにより実行される、請求項１６に記載の装置。
【請求項２６】
前記２つの直交シーケンスは、３つの記号の第１シーケンスと、その後に続く３つの記号の第２シーケンスとを含む、請求項２０に記載の装置。
【請求項２７】
前記２つの直交シーケンスは、５つの記号の第１シーケンスと、その後に続く４つの記号の第２シーケンスとを含む、請求項２０に記載の装置。
【請求項２８】
前記２つの直交シーケンスに対して付加的な直交カバーが適用される、請求項２０に記載の装置。
【請求項２９】
前記直交カバーは、アダマールシーケンスを使用することにより作られる、請求項２８に記載の装置。
【請求項３０】
前記直交カバーは、高ドップラー環境においてスイッチオフすることができる、請求項２８に記載の装置。
【請求項３１】
部分的直交性を生じる拡散コードで記号シーケンスをブロック拡散するための拡散コードを表す信号をユーザ装置へ送信するステップと、
前記部分的直交性でブロックワイズ拡散された１つ以上のスケジューリング要求を受信するステップと、
を備えた方法。
【請求項３２】
高速ユーザ装置をサポートするのに使用して、ドップラー効果によって生じるコード間干渉を減少するための、請求項３１に記載の方法。
【請求項３３】
ユーザ装置特有の繰り返しシフトで前記記号シーケンスを前記拡散するために一定振幅ゼロ自己相関を使用する、請求項３１に記載の方法。
【請求項３４】
前記部分的直交性は、前記ブロック拡散に対して偶数の拡散ファクタを使用して実行される、請求項３１に記載の方法。
【請求項３５】
前記部分的直交性は、ブロックの各スロットを２つの直交シーケンスのみに分割することにより実行される、請求項３１に記載の方法。
【請求項３６】
前記２つの直交シーケンスは、３つの記号の第１シーケンスと、その後に続く４つの記号の第２シーケンスとを含む、請求項３５に記載の方法。
【請求項３７】
前記第１シーケンスは、ＣＡＺＡＣシーケンスであり、前記第２シーケンスは、アダマールシーケンスである、請求項３６に記載の方法。
【請求項３８】
前記第１及び第２の両シーケンスは、ＣＡＺＡＣシーケンスである、請求項３６に記載の方法。
【請求項３９】
前記２つの直交シーケンスは、３つの記号の第１シーケンスと、その前後に続く４つの記号の前記第２シーケンスの２つの記号とを含む、請求項３５に記載の方法。
【請求項４０】
前記部分的直交性は、ハイブリッドの自動リピート要求フィードバックシグナリングに使用されるものと同じスロット構造を使用することにより実行される、請求項３１に記載の方法。
【請求項４１】
前記２つの直交シーケンスに対して付加的な直交カバーが適用される、請求項３５に記載の方法。
【請求項４２】
前記直交カバーは、アダマールシーケンスを使用することにより作られる、請求項４１に記載の方法。
【請求項４３】
前記直交カバーは、高ドップラー環境においてスイッチオフすることができる、請求項４１に記載の方法。
【請求項４４】
前記２つの直交シーケンスは、３つの記号の第１シーケンスと、その後に続く３つの記号の第２シーケンスとを含む、請求項３５に記載の方法。
【請求項４５】
前記２つの直交シーケンスは、５つの記号の第１シーケンスと、その後に続く４つの記号の第２シーケンスとを含む、請求項３５に記載の方法。
【請求項４６】
部分的直交性を生じる拡散コードで記号シーケンスをブロック拡散するための拡散コードを表す信号をユーザ装置へ送信する送信器と、
前記部分的直交性でブロックワイズ拡散された１つ以上のスケジューリング要求を受信する受信器と、
を備えた装置。
【請求項４７】
高速ユーザ装置をサポートするのに使用して、ドップラー効果によって生じるコード間干渉を減少するための、請求項４６に記載の装置。
【請求項４８】
ユーザ装置特有の繰り返しシフトで前記記号シーケンスを前記拡散するために一定振幅ゼロ自己相関を使用する、請求項４６に記載の装置。
【請求項４９】
前記部分的直交性は、前記ブロック拡散に対して偶数の拡散ファクタを使用して実行される、請求項４６に記載の装置。
【請求項５０】
前記部分的直交性は、ブロックの各スロットを２つの直交シーケンスのみに分割することにより実行される、請求項４６に記載の装置。
【請求項５１】
前記２つの直交シーケンスは、３つの記号の第１シーケンスと、その後に続く４つの記号の第２シーケンスとを含む、請求項５０に記載の装置。
【請求項５２】
前記第１シーケンスは、ＣＡＺＡＣシーケンスであり、前記第２シーケンスは、アダマールシーケンスである、請求項５１に記載の装置。
【請求項５３】
前記第１及び第２の両シーケンスは、ＣＡＺＡＣシーケンスである、請求項５１に記載の装置。
【請求項５４】
前記２つの直交シーケンスは、３つの記号の第１シーケンスと、その前後に続く４つの記号の前記第２シーケンスの２つの記号とを含む、請求項５０に記載の装置。
【請求項５５】
前記部分的直交性は、ハイブリッドの自動リピート要求フィードバックシグナリングに使用されるものと同じスロット構造を使用することにより実行される、請求項４６に記載の装置。
【請求項５６】
前記２つの直交シーケンスに対して付加的な直交カバーが適用される、請求項５０に記載の装置。
【請求項５７】
前記直交カバーは、アダマールシーケンスを使用することにより作られる、請求項５６に記載の装置。
【請求項５８】
前記直交カバーは、高ドップラー環境においてスイッチオフすることができる、請求項５６に記載の装置。
【請求項５９】
前記２つの直交シーケンスは、３つの記号の第１シーケンスと、その後に続く３つの記号の第２シーケンスとを含む、請求項５０に記載の装置。
【請求項６０】
前記２つの直交シーケンスは、５つの記号の第１シーケンスと、その後に続く４つの記号の第２シーケンスとを含む、請求項５０に記載の装置。
【請求項６１】
ベースステーションを備え、該ベースステーションは、
部分的直交性を生じる拡散コードで記号シーケンスをブロック拡散するための拡散コードを表す信号をユーザ装置へ送信する送信器と、
前記部分的直交性でブロックワイズ拡散された１つ以上のスケジューリング要求を受信する受信器と、
を含むものであり、そして更に、
ユーザ装置を備え、該ユーザ装置は、
前記ベースステーションから前記信号を受信するための受信器と、
部分的直交性を伴う拡散コードで記号シーケンスをブロック拡散するためのスプレッダーと、
前記部分的直交性でブロックワイズ拡散された１つ以上のスケジューリング要求を送信するための送信器と、
を含むものである、システム。
【発明の詳細な説明】
【技術分野】
【０００１】
本発明は、移動通信に係り、より詳細には、高速で移動中の移動装置との通信を良好にサポートすることに係る。
【背景技術】
【０００２】
略語
３ＧＰＰ        第３世代パートナーシッププログラム
ＣＤＭ          コード分割多重化
ＣＡＺＡＣ      一定振幅ゼロ自己相関
ＣＰ            繰り返しプレフィックス
Ｅ−ＵＴＲＡＮ  エンハンスト−ＵＴＲＡＮ
ＦＤＭＡ        周波数分割多重アクセス
ＬＴＥ          長期間進化
ＯＯＫ          オンオフキーイング
Ｑ              クワドラチュア
ＲＡＣＨ        ランダムアクセスチャンネル
ＲＲ            リソース要求
ＳＦ            拡散ファクタ
ＳＮＲ          信号対雑音比
ＳＲ            スケジューリング要求
ＴＴＩ          送信時間インターバル
ＵＬ            アップリンク
ＵＴＲＡＮ      ユニバーサル地上無線アクセスネットワーク
ＵＬ  ＳＲ      アップリンクスケジューリング要求
ＺＣ            ザドフ−チュー(Zadoff-Chu)
【０００３】
本発明は、しばしば３．９Ｇと称される第３世代パートナーシッププログラム（３ＧＰＰ）ユニバーサル地上無線アクセスネットワーク（ＵＴＲＡＮ）長期間進化（ＬＴＥ）のアップリンク（ＵＬ）部分において進行中の開発に関するものであるが、それに限定されない。
【０００４】
３Ｇ  ＬＴＥには、アップリンク（ＵＬ）のためのスケジューリング要求（ＳＲ）チャンネルを定義する必要があり、より詳細には、高いユーザ装置（ＵＥ）速度に適用できるＳＲ送信が要望されている。ＵＥがネットワーク側に向かって送信すべきデータを有することを指示するためにスケジューリング要求が使用される。
【０００５】
ソレントで行われたＲＡＮ１＃４７ｂｉｓ会議において、時間同期されたユーザのための非競争ベースのスケジューリング要求（ＳＲ）メカニズムをサポートすべきであることが合意された。
【０００６】
図１は、非同期スケジューリング要求インジケータメッセージ１がＵＥからベースステーションへ送信され、ＵＥは、アップリンクデータ指定をまだ有しておらず、そしてスケジューリンググラントメッセージ２が返送されることを示している。他方、ＵＥがアップリンクデータ指定を既に有している場合には、図１の段階３において、新たなスケジューリング要求がインバンド（スケジューリング要求＋データ）で送信される。
【０００７】
ＳＲの多重化スキームは、ドキュメントＲ１−０７２３０７、“Uplink Scheduling Request for LTE”、３ＧＰＰ  ＴＳＧ  ＲＡＮ  ＷＧ１＃４９、日本、神戸、２００７年５月７−１１日、ノキア、ノキアシーメンスネットワークに提示されており、その図２に示すように、ブロック拡散及びＣＡＺＡＣシーケンス変調の組合せが、ＳＲを送信する方法として提案されている。
【０００８】
２００７年１月１５−１９日にイタリアのソレントで開催された３ＧＰＰ  ＴＳＧ  ＲＡＮ  ＷＧ１会議＃４７ｂｉｓからのドキュメントＲ１−０７０３７０には、ＳＲを発生する２つの異なる方法、即ちコヒレントな多重化スキーム及び非コヒレントなスキームが考慮されている。コヒレントな多重化スキームは、アップリンクＡＣＫ／ＮＡＣＫ送信に使用されるべくマルタで合意された構造と同様である（３ＧＰＰ  ＴＳＧ  ＲＡＮ  ＷＧ１会議＃４８ｂｉｓ、マルタ、セント・ジュリアン、２００７年３月２６−３０日）。しかしながら、我々は、多重化能力が優れていることから、ＳＲに対しては非コヒレントなスキームを好む。更に、肯定的ＳＲ（即ち、オン−オフキーイング）しか送信されないスキームも考えられる。
【０００９】
ＵＥ速度については、［ＴＲ２５．９１３］に次のように述べられている。
●Ｅ−ＵＴＲＡＮは、セルラーネットワークにわたって移動をサポートしなければならず、且つ０から１５ｋｍ／ｈの低い移動速度に対して最適化されねばならない。
●１５から１２０ｋｍ／ｈの高い移動速度は、高い性能でサポートされねばならない。
●セルラーネットワークにわたる移動は、１２０ｋｍ／ｈから３５０ｋｍ／ｈ（或いは周波数帯域によっては５００ｋｍ／ｈまで）の速度に維持されねばならない。物理的レイヤのパラメータ化については、Ｅ−ＵＴＲＡＮは、周波数帯域によって、３５０ｋｍ／ｈまで又は５００ｋｍ／ｈまで接続を維持できねばならない。
【００１０】
ＬＴＥシステムの異なるファンクションを標準化するときには最高ＵＥ速度の動作域がかなり重要な役割を演じると思われる（これは、例えば、ＲＡＣＨの場合にそうである）。最高ＵＥ速度をサポートする必要があるのに加えて、最高ＵＥ速度のような極端な動作域では、種々のコンセプト間の性能差が典型的に最大となる。
【００１１】
ＳＲに対する要件の１つは、ＳＲにより生じるシステムオーバーヘッドを充分に小さく保持するために、充分に多数の同時ＵＥをサポートしなければならないことである。ＣＡＺＡＣシーケンス変調で多重化容量を最大にするために、ブロック拡散コードの拡散ファクタ（ＳＦ）が最大にされる。好ましいＳＲ多重化スキームが図２に示されている。スロット当たりの並列ＳＲリソースの数は、ここに示すスキームでは、１２＊７＝８４に等しい。
【００１２】
異なるユーザ装置間の多重化は、コードドメインの直交性を通して達成される。「ザドフ−チュー」（ＺＣ）シーケンスの繰り返しシフトは、直交コードとして使用される。図２に示すように、直交コードの最大数は、１２＊７＝８４として計算することができる。単一ブロック内の直交性、又はＦＤＭＡ記号は、トランシーバーに使用されるチャンネル遅延拡散及びシンク(sinc)パルス形状によって制限される。ブロックとブロックとの間では、直交性は、チャンネルドップラー拡散及び周波数エラーによって制限される。実際には、直交コードの数は、これらの現象のために８４未満である。
【発明の概要】
【発明が解決しようとする課題】
【００１３】
ＳＦ＝７によって問題が生じ、即ち同じブロックレベルコードの異なる繰り返しシフトは、ＵＥ速度が高くなるにつれて、互いに干渉し始めることに注意されたい。これは、オン−オフキーイングベースのＳＲメカニズムを使用するとき、３６０ｋｍ／ｈのケースで充分な性能を与えることが困難（又は不可能）であることを意味する。この問題は、周波数ドメインＣＡＺＡＣコードの所与の繰り返しシフトに対し、あるブロックレベルコードの異なる繰り返しシフト間の減衰を示す図３に実証されている。
【００１４】
従来技術は、ブロックレベル拡散のＳＦを減少するものである。この解決策は、次のようなものであることに注意されたい。
●多重化容量を極めて急激に減少し（例えば、ＳＦ＝３及びＳＦ＝４の組合せは、多重化容量がＳＦ＝３に基づいて計算されることを意味する）、或いは
●ＳＲカバレージをＴＤＭコンポーネントによって減少させる。
【課題を解決するための手段】
【００１５】
本発明は、高速度で移動中の移動装置との通信の良好なサポートを与える。
【００１６】
又、本発明は、極端なドップラー域におけるスケジューリング要求送信に対して良好なサポートを与える。
【００１７】
本発明は、付加的なシグナリングを伴うことなく、低ドップラー環境及び高ドップラー環境の両方に対して構成することができる。高ドップラー環境では、互いに部分的に直交するコードだけが使用される。
【００１８】
本開示は、ＬＴＥ型のフレーム構造及び占数学において部分的直交特性を有するシーケンスをどのように発生するかを示す。
【００１９】
更に、本開示は、ドップラーに対する抵抗を改善するためにこのような部分的直交特性をどのように使用するかも示す。
【００２０】
又、新たなシーケンス構造をどのように多重化するかも示す。
【００２１】
一実施形態において、本発明は、高速ＵＥをサポートするために図２に示すスケジューリング要求スキームを変更する。ブロック拡散の拡散ファクタは、偶数へ変化され、例えば、７から６へ変化される。これは、ＣＡＺＡＣシーケンスの部分的直交特性を使用できるようにし、その結果、高ドップラーの場合のコード間干渉が減少される。
【００２２】
上述したように、本発明は、アップリンク制御チャンネルに対してブロック拡散及び「ザドフ−チューシーケンス」変更が適用されるようなＥ−ＵＴＲＡのための新規なチャンネル構造に関する。多重化容量を最大にするという不可避な問題は、占数学的に奇数長さのシーケンスを生じさせることになり、これは、部分的直交を与える偶数長さシーケンスの好都合な特性を有していない。その結果として、高ドップラーでの性能に関して破滅的となる。
【００２３】
別の実施形態の部分的直交性は、ブロックの各スロットを２つの直交シーケンスのみに分割することにより実行される。２つの直交シーケンスは、３つの記号の第１シーケンスと、その後に続く４つの記号の第２シーケンスとで構成される。或いは、別の例として、２つの直交シーケンスは、３つの記号の第１シーケンスと、その前後に、４つの記号の前記第２シーケンスのうちの２つの記号が続くもので構成される。
【００２４】
更に別の実施形態では、ハイブリッドの自動リピート要求フィードバックシグナリングに使用されるものと同じスロット構造を使用することにより部分的直交性が実行される。
【００２５】
本発明は、高ドップラーにおいて性能を失わずに最大の多重化容量を与えるための解決策の新規なセットである。
【００２６】
効果
●本発明は、（多重化容量の減少を犠牲にして）極端なドップラー域をサポートする可能性を与える。
●付加的な減少が直交性を回復させる。
●ＳＦ−７解決策（記号繰り返しを伴わない）に比して信号ロスがない。
●本発明によるシーケンス生成は、占数学のための部分的直交特性を維持し、多重化容量を最大にする。
●本発明は、ＬＴＥの要件である高ドップラーにおける高性能を許す。
●本発明は、一般的に、制御チャンネルに対する占数学及びシーケンスの一貫性という付加的な利益を含む。これは、受信器におけるシーケンスシグナリング及び処理についての間接的な簡単化を生み出す。
【００２７】
欠点
●多重化容量が減少する。これは、ＳＦを構成可能であるよう特定するように取り扱うことができる。
【００２８】
又、ここに例示する全ての実施形態は、任意の適当な組合せで使用できることも理解されたい。
【００２９】
本発明の他の目的及び特徴は、添付図面を参照した以下の詳細な説明から明らかとなろう。しかしながら、添付図面は、例示のためのものに過ぎず、本発明の範囲を限定するものではないことを理解されたい。更に、添付図面は、正しいスケールで描かれておらず、且つここに述べる構造及び手順を概念的に示すに過ぎない。
【図面の簡単な説明】
【００３０】
【図１】スケジューリング要求手順を示す。
【図２】スケジューリング要求送信の提案された構造を示す。
【図３】ブロックレベル拡散コードの異なる繰り返しシフト間の減衰を示す。
【図４】本発明による構成を示す。
【図５】ＳＲアクティビティに基づく本発明の繰り返しシフト変化を示す。
【図６】ＣＡＺＡＣシーケンス変調装置のブロック図である。
【図７】シーケンス分割により発生される部分的直交性を示す。
【図８】別の仕方のシーケンス分割により発生される部分的直交性を示す。
【図９】ＦＤＤに適した、スロット当たり６個の記号をもつ長いＣＰのためのサブフレームフォーマットを示す。
【図１０】ＴＤＤに適した、スロット当たり５個の記号の第１シーケンスと、その後に続く４個の記号の第２シーケンスとをもつサブフレームフォーマットを示す。
【図１１】本発明によるシステムを示す。
【図１２】ユーザ装置、ベースステーション又はその両方に使用するのに適した信号プロセッサを示す。
【発明を実施するための形態】
【００３１】
第１の実施形態の教示によれば、オリジナルの拡散シーケンスにＮ＋１（例えば、７）個の記号があっても、ブロックドメインの実際のＳＦが偶数（例えば、６）に制限されるように、ブロックレベル拡散を構成するための方法が示される。本発明のスキームでは、ブロック拡散は、長さＮの拡散シーケンスを使用して遂行される。
●Ｎ個の拡散ブロックから予め定義されたブロックを繰り返すことにより、長さＮ＋１ブロックの拡張シーケンスが得られる。
●この構成の成果は、偶数長さの拡散シーケンスの特性である部分的直交性を奇数個のブロックに対して与えることができることである。
【００３２】
Ｎ＋１個の記号に対する直交多重化は、伝達されるエネルギーの量を低下させずに達成されることに注意されたい。
【００３３】
上述したスキームは、高ドップラーの場合に改善された性能を与える（異なるブロックコード間のコード間干渉を減少させる）。性能改善は、直交シーケンス（ＣＡＺＡＣ、ウォルシュ−アダマール）の直交特性を部分的に利用することに基づく。
●この特性は、偶数長さの直交シーケンスに有効である。
●Ｎ（６）個の記号だけでなく、Ｎ／２（３）個の記号についても、繰り返しシフト１：２：Ｎ（１、３、５）が互いに相互に直交する。繰り返しシフト２：２：Ｎ（２、４、６）についても同じことが言える。
●Ｎ（６）個の記号だけでなく、Ｎ／３（２）個の記号についても、繰り返しシフト１：３：Ｎ（１、４）が互いに直交する。繰り返しシフト２：３：Ｎ（２、５）及び３：３：Ｎ（３、６）についても同じことが言える。
【００３４】
部分的直交性は、リソース割り当てにおいて、極端な条件（例えば、ＵＥ速度が３６０ｋｍ／ｈ）のときに、互いに部分的直交であるコードしか使用されないように、考慮することができる。
【００３５】
図４は、一実施形態の実際の構成を示す。拡散されるべきＣＡＺＡＣシーケンスは、Ｃとして表され、
【数１】
2010536297.tif 000003
そして偶数長さのブロック拡散コードは、Ｂとして表される。
【数２】
2010536297.tif 000004
但し、Ｎは、偶数である。
【００３６】
拡張を拡散コードに直接考慮することができる。拡張されたブロック拡散コードは、次のように表すことができる。
【数３】
2010536297.tif 000005
【００３７】
部分的直交シーケンスを高ドップラー環境に、そして全てのシーケンスを低ドップラー環境に指定することができる。
【００３８】
例えば、ＳＲに対して２つのフォーマットを特定し、そしてセル特有の仕方でそれらを構成することができる。
１．典型的な環境ではＳＦ＝７
２．高ドップラー環境ではＳＦ＝６＋ブロック繰り返し数
【００３９】
典型的に、２つ以上のリソースユニットが、各セルにおけるＳＲ使用に対して割り当てられる（各リソースは、最大４２のＳＲリソースを有することができる）。１つのセルにおいて複数のＳＲフォーマットを次のように構成することができる。
●高いドップラーを伴うＵＥは、あるＲＵに割り当てられ、そしてそれらは、ＳＲフォーマット＃２を適用する。
●低速ＵＥには、異なるＳＲリソースが割り当てられる。それらは、まだＳＲフォーマット＃１を使用することができる。
【００４０】
これは、ＳＲフォーマット＃２の若干小さな多重化容量によって生じる質低下を最小にする。
【００４１】
別の実施形態によれば、図５に示すように、高ドップラーモードにおいてコード割り当てを変化させることができる。
１．ＳＲアクティビティが非常に低いときには繰り返しシフト０−６が使用される。
２．ＳＲアクティビティが高いときには１つおきの繰り返しシフトが使用される。
【００４２】
又、部分的直交特性は、シーケンス分割によって発生することもできる。図６の実施形態に示すように、長さ７のシーケンスは、２つの直交シーケンス、例えば、長さ３及び長さ４に分割することができる。その欠点は、多重化容量の低下である。というのは、それが短いシーケンスによって決定されるからである。多重化容量を維持するために、６つの直交シーケンスを生じる短い直交カバーシーケンスにわたって付加的な直交カバーを適用することができる。付加的な直交カバーは、高ドップラー条件においてスイッチオフすることができる。スイッチング情報は、ｅＮｏｄｅＢしか知ることができず、ＵＥにシグナリングされる必要はない。従って、付加的なシグナリングは、必要とされない。
【００４３】
更に別の実施形態として、図７に示すように、ＡＣＫ／ＮＡＣＫ及びＳＲ多重化並びにシーケンス再使用の融通性を最大にするために、ＳＲの直交カバーシーケンスに、ＡＣＫ／ＮＡＣＫ、即ちＨＡＲＱに使用されるものと同じ構造を割り当てることができる。その欠点は、高ドップラー環境においてＳＲの多重化が更に減少されることであり、２つの直交カバーコードしか使用できない。
【００４４】
肯定的スケジューリング要求の場合には、繰り返しシフト長さＮZC＝１２のＣＡＺＡＣシーケンスｙ(０)、・・・ｙ(ＮZC−１)は、直交シーケンスｗ(ｉ)を伴うブロック指向の拡散でよい。次の式を仮定すれば、
【数４】
2010536297.tif 000006
ｗ(ｉ)は、２つの別々のシーケンス、即ち、チャンネル化コードインデックスに基づいて１又は−１が乗算される繰り返しシフトのＣＡＺＡＣシーケンスｗ1(ｋ)、ｋ＝０．．２と、アダマールシーケンスｗ2(ｌ)、ｌ＝０．．３と、の組合せとして定義される。
【００４５】
ブロック指向の拡散は、メソッド１又はメソッド２のいずれかに基づいて行われる。
【数５】
2010536297.tif 000007
【００４６】
図８は、シーケンスを分割する別の仕方で発生される部分的直交性を示し、即ち２つの直交シーケンスは、３つの記号の第１シーケンスと、その前後に、４つの記号の第２シーケンスの２つの記号が続くもので構成される。
【００４７】
図９は、ＦＤＤに適した、スロット当たり６個の記号をもつ長いＣＰのためのサブフレームフォーマットを示す。
【００４８】
図１０は、ＴＤＤに適した、スロット当たり５個の記号の第１シーケンスと、その後に続く４個の記号の第２シーケンスとをもつサブフレームフォーマットを示す。
【００４９】
図１１は、ユーザ装置と、ベースステーション（ＬＴＥでは“ｅＮｏｄｅＢ”と称される）とを備えたシステムを示す。ユーザ装置及びベースステーションは、両方とも、トランシーバー及び信号プロセッサを備えている。信号プロセッサは、これに限定されないが図１２に示すプロセッサの形態を含む種々の形態をとり得る。各トランシーバーは、アンテナに各々接続され、ユーザ装置とベースステーションとの間の通信は、ワイヤレスインターフェイスを経て行われる。スケジューリング要求チャンネルは、ＬＴＥ内のアップリンクチャンネルである。従って、ｅＮｏｄｅＢは、コードリソースをＵＥに割り当てそしてシグナリングする。必要なときに、ｅＮｏｄｅＢは、本発明によりＵＥにコードリソースを割り当てることにより、本発明のＳＲ構造を高ドップラーフォーマットで使用することができる。次いで、ｅＮｏｄｅＢは、ＵＥからＳＲを受信するときに本発明のＳＲ構造を使用する。
【００５０】
ユーザ装置の信号プロセッサは、図６に示す形態をとることができ、従って、本発明により、前記で例示したように、部分的直交性を伴う拡散コードで記号シーケンスをブロック拡散するためのスプレッダーを備えている。ユーザ装置のここに示すトランシーバーは、もちろん、前記部分的直交性でブロックワイズ拡散された１つ以上のスケジューリング要求を送出するための送信器を備えている。
【００５１】
又、ベースステーションの信号プロセッサは、図１２に示す形態をとることもでき、従って、部分的直交性でＵＥにより送信されてベースステーションによって受信された記号シーケンスをブロック拡散解除するためのデスプレッダーを備えている。ベースステーションのここに示すトランシーバーは、もちろん、前記部分的直交性でブロックワイズ拡散された１つ以上のスケジューリング要求を受信するための受信器を備えている。ベースステーションの信号プロセッサは、拡散解除機能を実行するために逆であることを除いて、図６に示したものと同様の形態をとることができる。
【００５２】
図１２は、上述した信号処理機能を実行するのに適した汎用の信号プロセッサを示す。これは、リードオンリメモリ（ＲＯＭ）、ランダムアクセスメモリ（ＲＡＭ）、中央処理ユニット（ＣＰＵ）、クロック、入力／出力（Ｉ／Ｏ）ポート、及び種々の機能を備え、これらは、全て、データ、アドレス及び制御（ＤＡＣ）バスにより相互接続される。ＲＯＭは、ＲＡＭ、ＣＰＵ、Ｉ／Ｏ、等に関連して上述した種々の機能を実行するために書かれたプログラムコードを記憶することのできるコンピュータ読み取り可能な媒体である。もちろん、同じ信号処理機能をハードウェア及びソフトウェアの組合せで実行することができると共に、専用の集積回路をもつハードウェアで、即ちソフトウェアを伴わずに、完全に実行することもできる。
【符号の説明】
【００５３】
１：非同期スケジューリング要求インジケータメッセージ
２：スケジューリンググラントメッセージ
３：スケジューリング要求＋データ
【図１】
2010536297.tif 000008
【図２】
2010536297.tif 000009
【図３】
2010536297.tif 000010
【図４】
2010536297.tif 000011
【図５】
2010536297.tif 000012
【図６】
2010536297.tif 000013
【図７】
2010536297.tif 000014
【図８】
2010536297.tif 000015
【図９】
2010536297.tif 000016
【図１０】
2010536297.tif 000017
【図１１】
2010536297.tif 000018
【図１２】
2010536297.tif 000019
【国際調査報告】
2010536297.tif 000020
2010536297.tif 000021